(57)【要約】【課題】前段より後段の方が高性能な解像度変換を行える解像度変換部を備える表示制御装置においてマルチ画面表示を行うとき、主となる映像コンテンツの解像度変換を、後段でのみ行うことで高画質な映像コンテンツの提示を行うことを可能とする。【解決手段】最終的なマルチ画面表示の出力における、主となる映像コンテンツと副となる映像コンテンツの比率に合わせて、副となる映像コンテンツのみ前段で解像度変換を行って主となる映像コンテンツと合成し、得られた合成映像コンテンツに後段で解像度変換を行う。【選択図】図１
2011040974.tif 000002
【特許請求の範囲】
【請求項１】
入力された複数系統の映像コンテンツのうち、副となる映像コンテンツを解像度変換して出力する前段解像度変換手段と、
前記入力された複数系統の映像コンテンツのうち、１系統の主となる映像コンテンツと、前記前段解像度変換手段から出力された副となる映像コンテンツとを、マルチ画面表示の形態に合成して１系統の合成映像コンテンツとして出力する合成手段と、
前記合成手段に接続され、前記合成手段から出力された映像コンテンツを解像度変換して出力する後段解像度変換手段と、
前記前段解像度変換手段、前記後段解像度変換手段、及び前記合成手段の動作を制御する制御手段とを有し、
前記制御手段は、マルチ画面表示する際の、前記主となる映像コンテンツと前記副となる映像コンテンツの比率に合わせて、前記前段解像度変換手段で前記副となる映像コンテンツの解像度変換を行うことを特徴とする表示制御装置。
【請求項２】
前記合成手段から出力される合成映像コンテンツの解像度を決定する決定手段をさらに有し、
前記決定手段は前記マルチ画面表示の形態と前記主となる映像コンテンツの解像度とに応じて、前記合成映像コンテンツの解像度を決定することを特徴とする請求項１に記載の表示制御装置。
【請求項３】
前記決定手段は、
前記入力された複数系統の映像コンテンツをピクチャインピクチャ表示の表示形態でマルチ画面表示する場合には、前記合成映像コンテンツの解像度を前記主となる映像コンテンツの解像度と同じ解像度とし、
前記入力された複数系統の映像コンテンツをピクチャアンドピクチャ表示の表示形態でマルチ画面表示する場合には、前記合成映像コンテンツの解像度を前記主となる映像コンテンツの解像度に映像コンテンツの系統の数を乗算した解像度とすることを特徴とする請求項２に記載の表示制御装置。
【請求項４】
前記制御手段は、副となる映像コンテンツの解像度が、前記前段解像度変換手段で解像度変換を行うと整数値にならないときは、整数値になるよう映像コンテンツの解像度を切り捨てることを特徴とする請求項１乃至３の何れか１項に記載の表示制御装置。
【請求項５】
前記前段解像度変換手段と前記後段解像度変換手段が、異なる集積回路に含まれることを特徴とする請求項１乃至４のいずれか１項に記載の表示制御装置。
【請求項６】
入力された複数系統の映像コンテンツのうち、副となる映像コンテンツを解像度変換して出力する前段解像度変換手段と、
前記入力された複数系統の映像コンテンツのうち、１系統の主となる映像コンテンツと、前記前段解像度変換手段から出力された副となる映像コンテンツとを、マルチ画面表示の形態に合成して１系統の合成映像コンテンツとして出力する合成手段と、
前記合成手段に接続され、前記合成手段から出力された映像コンテンツを解像度変換して出力する後段解像度変換手段とを備える表示制御装置の制御方法であって、
前記前段解像度変換手段、前記後段解像度変換手段、及び前記合成手段の動作を制御する制御工程を有し、
前記制御工程において、マルチ画面表示する際の、前記主となる映像コンテンツと前記副となる映像コンテンツの比率に合わせて、前記前段解像度変換手段で前記副となる映像コンテンツの解像度変換を行うことを特徴とする表示制御装置の制御方法。
【発明の詳細な説明】
【技術分野】
【０００１】
本発明は、表示制御装置及びその制御方法に関し、特に、複数系統の映像コンテンツをマルチ画面表示可能な表示制御装置及びその制御方法に関する。
【背景技術】
【０００２】
テレビ受像機等の表示制御装置の表示領域の解像度は、近年のデジタルテレビ放送等の高解像度を有する映像コンテンツの普及に伴い、高解像度化が進んでいる。高解像度（例えば１９２０×１０８０画素）を有する映像コンテンツに比較すると、従来普及してきた映像コンテンツは解像度が低く（例えば７２０×４８０画素）、高解像度の表示領域をもつ表示装置に表示するためには、解像度変換処理が必要である。しかしながら、解像度が低い映像コンテンツに対し、単に解像度変換を適用するだけでは、映像コンテンツを引き伸ばしたものを表示するため、ユーザに対して画質が劣化した印象を与えてしまう。このような解像度の低い映像コンテンツの解像度変換等による画質劣化に対し、映像コンテンツの画質を向上させる高画質化処理回路を有する表示装置も市販されている。高画質化処理には、例えばノイズリダクション、輝度信号の高域成分の強調・減衰、エッジ強調、色補正等があり、映像コンテンツの輝度情報やコントラスト情報等を用いることで、入力映像コンテンツの画質を補正している。
【０００３】
また、表示装置の表示領域や、映像コンテンツの解像度やアスペクト比は、表示装置や映像規格の多様化に伴い様々である。例えばテレビ受像機は、従来のアナログ放送規格と地上デジタル放送規格とでは映像コンテンツの解像度が大きく異なるため、表示解像度も異なる。また、映像コンテンツや表示領域のアスペクト比も、４：３であったものから、１６：９のものに推移してきている。
【０００４】
そのため、様々な解像度やアスペクト比の映像コンテンツを表示装置の表示領域に表示するためには、表示領域の解像度とアスペクト比に応じて解像度変換処理を適用する必要がある。しかしながら、映像コンテンツと表示領域の解像度やアスペクト比の組み合わせ毎に個別の解像度変換回路を設けることは現実的ではない。そのため、異なる解像度変換を行う回路を用意し、個々の回路で実現できる解像度変換を映像コンテンツに多段階に適用することで、所望の解像度変換処理を実現し、回路規模を縮小することが提案されている。特許文献１では、垂直及び水平方向の解像度変換を行う回路と、水平方向のみ解像度変換を行う回路とを設け、垂直方向の解像度変換が不要な映像コンテンツには後者だけを適用し、個別の解像度変換回路を設けることなく様々な解像度変換に対応している。
【先行技術文献】
【特許文献】
【０００５】
【特許文献１】特開２００７−１３７３９号公報
【発明の概要】
【発明が解決しようとする課題】
【０００６】
一般的なテレビ受像機は、放送信号を受信して復号化する放送受信ＬＳＩを備えている。放送受信ＬＳＩは、受信した放送コンテンツだけでなく、ＤＶＤプレーヤ等の映像再生装置から入力される蓄積映像コンテンツ等の入力を受け、テレビ受像機の表示パネルに出力可能である。また、放送受信ＬＳＩは映像コンテンツの解像度変換を行う機能や、複数の映像コンテンツを合成する合成機能を備え、複数の映像コンテンツのマルチ画面表示を実現している。
【０００７】
一般的なテレビ受像機においてマルチ画面表示を行う場合、放送受信ＬＳＩは複数の映像コンテンツに対して解像度変換処理を適用し、さらに解像度変換を行った複数の映像コンテンツを表示パネルに表示するために合成し合成映像コンテンツを出力する。このため、放送受信ＬＳＩは１系統の映像出力を備える。
【０００８】
また、一般的なテレビ受像機において、出力される映像コンテンツに対し高画質化処理を適用するためには、高画質化ＬＳＩをさらに追加し、放送受信ＬＳＩが出力する映像コンテンツを高画質化ＬＳＩに入力して高画質化処理を適用する。放送受信ＬＳＩが備える映像出力は一般に１系統であるため、高画質化ＬＳＩの映像入力も必然的に１系統となり、高画質化ＬＳＩでは、入力された１系統の映像コンテンツに対し高画質化処理を適用することになる。一方、高画質化ＬＳＩは様々な入出力解像度に対応した高画質化処理機能を提供するため、解像度変換回路を備える。高画質化処理の効果は高画質化処理を適用する映像コンテンツの品質に依存する。そのため、高画質化ＬＳＩでは、良好な高画質化処理結果を得るために、放送受信ＬＳＩが備える解像度変換機能より一般には高性能な解像度変換機能を提供する。従って、上述した放送受信ＬＳＩを備えるテレビ受像機が表示する映像コンテンツを、高画質化ＬＳＩを用いて高画質化する場合、放送受信ＬＳＩが備える解像度変換機能よりも、高画質化ＬＳＩが備える解像度変換機能を利用することが好ましい。つまり、単一画面表示（１系統表示）を行う場合は、放送受信ＬＳＩが備える解像度変換処理より、高画質化ＬＳＩが備える解像度変換処理を適用する方がよい。しかしながらマルチ画面表示を行う場合、高画質化ＬＳＩは１系統の映像入力にしか対応できないため、放送受信ＬＳＩにて解像度変換、合成処理を適用する必要がある。そのため、マルチ画面表示時の映像コンテンツについては、高画質化ＬＳＩによる高画質化処理の効果を十分に得られないという問題があった。
【０００９】
また、テレビ受像機の画面表示形態によって、単一画面表示（１系統表示）時は高画質化ＬＳＩで、マルチ画面表示時は放送受信ＬＳＩで、解像度変換処理を適用する場合を考える。このとき、画面表示形態が単一画面表示かマルチ画面表示かによって画質が変化するため、ユーザに対して違和感を与える。特に、例えばマルチ画面表示方式の一つであるピクチャインピクチャ（ＰｉｎＰ）表示のような、主となる１系統の映像コンテンツの表示領域に、副となる映像コンテンツの表示領域が重なって表示される表示形態の場合に画質の差が顕著に現れる。即ち、例えば単一画面表示されている映像コンテンツの表示領域と、ＰｉｎＰ表示における主となる映像コンテンツの表示領域の大きさに差がないのに対し、画質が異なる状況が考えられる。
【００１０】
本発明は、上述の問題点に鑑みてなされたものである。本発明は、複数の映像コンテンツをマルチ画面表示可能であり、性能の異なる複数の解像度変換機能を備える表示制御装置及びその制御方法において、複数の解像度変換機能の効率的な使用を可能とすることを目的とする。
【課題を解決するための手段】
【００１１】
前述の目的を達成するために、本発明の表示制御装置は、以下の構成を備える。
入力された複数系統の映像コンテンツのうち、副となる映像コンテンツを解像度変換して出力する前段解像度変換手段と、入力された複数系統の映像コンテンツのうち、１系統の主となる映像コンテンツと、前段解像度変換手段から出力された副となる映像コンテンツとを、マルチ画面表示の形態に合成して１系統の合成映像コンテンツとして出力する合成手段と、合成手段に接続され、合成手段から出力された映像コンテンツを解像度変換して出力する後段解像度変換手段と、前段解像度変換手段、後段解像度変換手段、及び合成手段の動作を制御する制御手段とを有し、制御手段は、マルチ画面表示する際の、主となる映像コンテンツと副となる映像コンテンツの比率に合わせて、前段解像度変換手段で副となる映像コンテンツの解像度変換を行うことを特徴とする。
【発明の効果】
【００１２】
このような構成により本発明によれば、複数の映像コンテンツをマルチ画面表示可能であり、性能の異なる複数の解像度変換機能を備える表示制御装置及びその制御方法において、複数の解像度変換機能を効率的に使用できる。
【図面の簡単な説明】
【００１３】
【図１】本発明の実施形態に係るテレビ受像機の機能構成例を示すブロック図。
【図２】実施形態１のピクチャインピクチャ表示を説明するための図。
【図３】テレビ受像機におけるマルチ画面表示処理を説明するためのフローチャート。
【図４】実施形態２のピクチャアンドピクチャ表示を説明するための図。
【発明を実施するための形態】
【００１４】
以下、本発明の好適かつ例示的な実施形態について、図面を参照して詳細に説明する。なお、以下に説明する実施形態は、マルチ画面表示可能な表示制御装置の１例としての、２系統の放送コンテンツを２画面（マルチ画面）表示可能なテレビ受像機に、本発明を適用した例を説明する。しかし、本発明は、２以上の複数系統の映像コンテンツを１つの表示装置にマルチ画面表示させることが可能な任意の機器に適用可能である。また、本明細書において、「複数系統の映像コンテンツ」とは、系統毎に独立した信号で入力されてもよいし、複数の映像コンテンツが多重化された１系統の信号で入力されてもよい。また、映像コンテンツはＤＶＤやビデオレコーダ等に記録された蓄積映像コンテンツでも、リアルタイムで配信される放送コンテンツでもよい。また、同一の映像コンテンツを複数の画面に並列表示する場合も、複数系統の映像コンテンツのマルチ画面表示として取り扱う。
【００１５】
図１は、本発明の実施形態にかかるテレビ受像機１００の機能構成例を示すブロック図である。テレビ受像機１００は、２系統の放送コンテンツを１画面に合成して出力する機能を有する放送受信部１０と、放送受信部１０から出力された映像に高画質化処理を適用する画像処理部２０とを有する。テレビ受像機１００はさらに、画像処理部２０から出力された映像コンテンツを表示する表示パネル３０を有する。ここで、放送受信部１０はテレビ受像機１００が一般的に備える放送受信ＬＳＩの機能であり、画像処理部２０は追加された高画質化ＬＳＩが備える機能であってよい。この場合、放送受信部１０と画像処理部２０は個別の半導体集積回路に含まれる。
【００１６】
リモートコントローラ２は、テレビ受像機１００に対するユーザからの指示を入力する入力手段の一例であり、ユーザから入力された情報をユーザ入力受信部１１に伝える。ユーザ入力受信部１１は、ユーザの操作によってリモートコントローラ２から入力される、例えば後述するテレビ受像機１００の各種設定情報を受信し、前段制御部１３に伝える。テレビ受像機１００の各種設定情報には、例えば視聴チャンネル設定や画面表示形態設定等が含まれ、後述する不揮発性メモリ１２で記憶管理される。不揮発性メモリ１２は、例えばテレビ受像機１００の各ブロックの動作プログラムや、テレビ受像機１００の各種設定情報等を記憶管理する。テレビ受像機１００の各種設定情報には、例えば視聴チャンネル設定や画面表示形態設定に加え、マルチ画面表示時に表示される映像コンテンツの数や、マルチ画面表示時の各映像コンテンツの表示解像度情報、さらに高画質化処理部の画質設定等が含まれる。本実施形態において、２画面（マルチ画面）表示する際の各映像コンテンツは便宜上、主となる映像コンテンツの表示領域を主画面、副となる映像コンテンツの表示領域を副画面として説明する。
【００１７】
前段制御部１３は放送受信部１０の動作を、後段制御部２２は画像処理部２０の動作を、それぞれ制御する。また、前段制御部１３と後段制御部２２とは、前段通信部１４及び後段通信部２１を介して相互に通信可能であり、必要に応じて通信しながら、後述するマルチ画面表示処理を始めとした、テレビ受像機１００全体の動作を制御する。前段制御部１３と後段制御部２２は例えばＣＰＵ、ＲＯＭ、ＲＡＭ（図示せず）を有しており、ＲＡＭを用いてＲＯＭや不揮発性メモリ１２に記憶されたプログラムを実行して各部を制御することにより、テレビ受像機１００の機能を実現する。
【００１８】
第１放送信号処理部１５及び第２放送信号処理部１６は、複数の放送コンテンツが多重化された放送信号１から、視聴チャンネル設定に応じた放送コンテンツをそれぞれ分離・復号する。前段制御部１３は、例えばリモートコントローラ２からの視聴チャンネル変更要求を受けると、不揮発性メモリ１２の視聴チャンネル設定を更新し、第１放送信号処理部１５及び第２放送信号処理部１６に伝え、視聴チャンネルの放送コンテンツを分離・復号させる。このとき、第１放送信号処理部１５が復号した放送コンテンツを主放送コンテンツ、第２放送信号処理部１６が復号した放送コンテンツを副放送コンテンツとする。例えば不揮発性メモリ１２に記憶される表示形態設定が単一画面表示であった場合は、副放送コンテンツの受信は必要ないため、前段制御部１３は第２放送信号処理部１６及び後述する前段解像度変換部１７の動作を停止させる。また、第１放送信号処理部１５及び第２放送信号処理部１６は、それぞれ復号化した放送コンテンツの解像度の情報を前段制御部１３に伝え、前段制御部１３はそれぞれの放送コンテンツの解像度の情報を不揮発性メモリ１２に記憶する。
【００１９】
放送信号１からの放送コンテンツ分離・復号が完了すると、第１放送信号処理部１５で復号された主放送コンテンツは合成部１８に、第２放送信号処理部１６で復号された副放送コンテンツは前段解像度変換部１７に出力される。前段解像度変換部１７では、第２放送信号処理部１６で復号された放送コンテンツに解像度変換処理を適用し、合成部１８に出力する。前段制御部１３は、不揮発性メモリ１２に記憶される、前段解像度変換部１７に入力される副放送コンテンツの解像度の情報と、前段解像度変換部１７から出力される副放送コンテンツの解像度の情報を、前段解像度変換部１７に供給し、解像度変換処理の制御を行う。このとき、前段解像度変換部１７に入力される副放送コンテンツの入出力解像度が同じ場合は、前段制御部１３は前段解像度変換部１７における解像度変換処理を適用することなく、副放送コンテンツを合成部１８に出力するように制御する。
【００２０】
合成部１８は、不揮発性メモリ１２に記憶される画面表示形態設定が単一画面表示であった場合は、入力された１系統の映像コンテンツを合成処理せずに、合成部１８に接続された後段解像度変換部２３に出力する。また、合成部１８は不揮発性メモリ１２に記憶される画面表示形態設定が２画面表示（マルチ画面表示）であった場合は、入力された２系統の映像コンテンツを画面表示形態設定に従って合成し、得られた合成映像コンテンツを後段解像度変換部２３に出力する。合成部１８にて合成処理を適用する場合、前段制御部１３は不揮発性メモリ１２に記憶される画面表示形態設定に従って合成後の合成映像コンテンツの解像度を決定し、不揮発性メモリ１２に記憶する。さらに、前段制御部１３は決定した合成映像コンテンツの解像度の情報に基づいて、必要なフレームバッファサイズを決定し、前段通信部１４と後段通信部２１を解して後段制御部２２に、決定したフレームバッファサイズを伝える。後段制御部２２は、前段制御部１３から受信したフレームバッファサイズの情報に従い、後述する後段解像度変換部２３がもつＶＲＡＭ（図示せず）内にフレームバッファ領域を確保する。具体的には、合成部１８から出力される１フレーム分（もしくは複数フレーム分）の合成映像コンテンツを、ＶＲＡＭ内に一時的にバッファリングするために必要な、ＶＲＡＭ上のフレームバッファ領域を確保する。また、単一画面表示の場合、前段制御部１３は主放送コンテンツの解像度の情報に基づいて、必要なフレームバッファサイズを決定する。前段制御部１３は、決定したフレームバッファサイズを後段制御部２２に伝え、後段解像度変換部２３内のＶＲＡＭにフレームバッファ領域を確保するものとする。合成部１８は映像コンテンツ（主放送コンテンツ、もしくは合成映像コンテンツ）を後段解像度変換部２３のＶＲＡＭ内に確保したフレームバッファ領域に出力するものとする。
【００２１】
本実施形態のテレビ受像機１００は、２画面表示の画面表示形態として代表的な２種類の画面表示形態を説明する。ひとつは、表示パネル３０の表示領域上で、２系統の映像コンテンツの表示領域が重ならずに並列表示されるピクチャアンドピクチャ表示（ＰａｎｄＰ）である。また、もうひとつは、一方の映像コンテンツの表示領域に他方の映像コンテンツの表示領域が重なって表示されるピクチャインピクチャ表示（ＰｉｎＰ）である。なお、本実施形態では代表的な２種類の２画面表示の画面表示形態について説明するが、本発明は複数系統の映像コンテンツを合成してマルチ画面表示する表示制御装置に適用可能である。
【００２２】
後段解像度変換部２３は、合成部１８から後段解像度変換部２３が備えるＶＲＡＭ内に入力された映像コンテンツに対して、解像度変換処理を適用して高画質化処理部２４に出力する。このとき前段制御部１３は、前段通信部１４と後段通信部２１を介して後段通信部２１に、不揮発性メモリ１２に記憶された合成部１８が出力する映像コンテンツの解像度の情報と、表示パネル３０の表示解像度の情報を伝える。合成部１８が出力する映像コンテンツの解像度の情報は、不揮発性メモリ１２に記憶される画面表示形態設定が単一画面表示であった場合は主放送コンテンツの解像度の、画面表示形態設定が２画面表示であった場合は合成映像コンテンツの解像度の情報になる。後段通信部２１は、前段通信部１４から伝送された後段解像度変換部２３に合成部１８が出力する映像コンテンツの解像度と、最終的な出力解像度である表示パネル３０の表示領域の解像度の情報を供給し、解像度変換処理を行う。
【００２３】
なお、後段解像度変換部２３は前段解像度変換部１７よりも高性能であり、高画質な解像度変換結果を得ることができるものとする。後段解像度変換部２３で適用される解像度変換処理は、例えば補間画素を生成するアルゴリズムにおいて前段解像度変換部１７より優れている。具体的には後段解像度変換部２３は、映像コンテンツを拡大した際の斜め線とその角度を検出し、斜め線の角度に適したフィルタ係数で補間画素を生成する。一方、前段解像度変換部１７ではこのような斜め線の角度を考慮した補間画素の生成を行わない。この結果、後段解像度変換部２３が行う解像度変換処理のほうが、前段解像度変換部１７が行う解像度変換処理よりも、映像コンテンツを拡大した際の斜め線が滑らかである出力結果を得ることができる。
【００２４】
高画質化処理部２４は、後段解像度変換部２３から出力された映像コンテンツに対して、高画質化処理を適用して、高画質化映像コンテンツを出力する。高画質化処理は、入力された映像コンテンツの画質を向上させる任意の処理でよく、例えばノイズリダクションやカラーエンハンサ、色補正等の処理でよい。ここでは、説明及び理解を容易にするため、高画質化処理部２４の入出力の解像度に変化がないものとする。高画質化処理において解像度変換を伴う場合、前段制御部１３が高画質化処理における解像度変換を考慮した解像度の設定値を決定して供給する。決定した解像度の設定値は、前段解像度変換部１７あるいは後段解像度変換部２３にそれぞれ供給する。高画質化処理部２４から出力された高画質化映像コンテンツは、表示パネル３０へ出力される。
【００２５】
（表示制御処理：ＰｉｎＰ表示モード）
このような構成をもつ本実施形態のテレビ受像機の、２画面表示形態のうちＰｉｎＰ表示モードにおける表示制御処理について、図２及び図３のフローチャートをさらに用いて説明する。
【００２６】
リモートコントローラ２へのユーザによる入力を受け、視聴チャンネル設定、画面表示形態設定が２画面表示のＰｉｎＰ表示モードに変更されると、前段制御部１３は第１放送信号処理部１５及び第２放送信号処理部１６に放送信号１の分離・復号化処理を行わせる。前段制御部１３は、第１放送信号処理部１５から第１放送信号処理部１５で復号化された主放送コンテンツの、第２放送信号処理部１６から第２放送信号処理部１６で復号化された副放送コンテンツの解像度の情報を取得する（Ｓ３０１）。
【００２７】
Ｓ３０２で、前段制御部１３は、不揮発性メモリ１２からＰｉｎＰ表示モードにおける最終的に表示パネル３０の表示領域に表示される際の、主画面の表示領域の解像度（主解像度）の情報と副画面の表示領域の解像度（副解像度）の情報とを取得する。前段制御部１３は取得した主解像度と副解像度の情報から、主解像度に対する副解像度の比率を、縦成分と横成分の両方において算出する（Ｓ３０３）。本実施形態のＰｉｎＰ表示モードでは、例えば図２（ｄ）にあるように、最終的な主解像度は１９２０×１０８０画素、副解像度は４８０×２７０画素であるため、横成分の比率は４８０／１９２０＝１/４、縦成分の比率は２７０／１０８０＝１／４となる。
【００２８】
Ｓ３０４で、前段制御部１３は、前段解像度変換部１７で副放送コンテンツに対し、解像度変換処理を適用する。このとき前段制御部１３は、前段解像度変換部１７に対し、副放送コンテンツの解像度の情報と、前段解像度変換部１７で解像度変換処理を適用後の副放送コンテンツの解像度の情報とを供給して、解像度変換処理を行う。解像度変換処理を適用後の副放送コンテンツの解像度は、Ｓ３０３で求めた比率を、主放送コンテンツの解像度に積算して求める。例えば、主放送コンテンツと副放送コンテンツの解像度が図２（ａ）にあるように、主放送コンテンツの解像度が７２０×４８０画素であり、副放送コンテンツの解像度が１９２０×１０８０画素であったとする。Ｓ３０３で求めた主解像度と副解像度の比率が、縦成分１／４、横成分１／４であるとき、前段解像度変換部１７で解像度変換処理を適用された後の副放送コンテンツの解像度は以下のようになる。解像度変換処理を適用後の副放送コンテンツの解像度は、横成分の解像度は主放送コンテンツの横成分の解像度にＳ３０３で求めた横成分の比率を積算し、７２０×１／４＝１８０画素となる。同様に縦成分の解像度は、主放送コンテンツの縦成分の解像度にＳ３０３で求めた縦成分の比率を積算し、４８０×１／４＝１２０画素となる（図２（ｂ））。このため、前段解像度変換部１７での解像度変換処理の適用が完了した時点で、主放送コンテンツと副放送コンテンツの解像度の比率は、最終的な出力である主解像度と副解像度の比率と等しくなっている。
【００２９】
なお、Ｓ３０４で、主放送コンテンツや副放送コンテンツの解像度や、最終的な出力である主解像度と副解像度によっては、前段解像度変換部１７で解像度変換処理を適用すると、解像度変換後の副放送コンテンツの解像度が整数値にならない場合が考えられる。その場合は、厳密には最終的な出力である主解像度と副解像度の比率とは異なるが、例えば解像度変換後の副放送コンテンツの解像度を整数値で切り捨ててもよい。または、解像度変換後の副放送コンテンツの解像度が整数値になるように、縦か横のどちらかの成分の比率を調整してアスペクト比を変更してもよい。
【００３０】
Ｓ３０５で、前段制御部１３は、合成部１８で主放送コンテンツと副放送コンテンツに合成処理を適用して出力する合成映像コンテンツの、解像度を決定する。また、前段制御部１３は、決定した合成映像コンテンツの解像度の情報に基づいて、後段解像度変換部２３のＶＲＡＭ内に合成映像コンテンツを一時的にバッファリングするために必要な、フレームバッファサイズを決定する。本実施形態におけるＰｉｎＰ表示モードでは、主画面の表示領域内に副画面の表示領域が全て重なって表示されるものとするため、合成映像コンテンツの解像度は主放送コンテンツの解像度に一致する。例えば、図２（ｃ）のように主放送コンテンツの解像度が７２０×４８０画素の場合は、合成映像コンテンツの解像度も７２０×４８０画素になる。このため、後段解像度変換部２３のＶＲＡＭ内に合成映像コンテンツを一時的にバッファリングするために必要なフレームバッファサイズは、７２０×４８０画素分であればよい。前段制御部１３は、決定したフレームバッファサイズを前段通信部１４と後段通信部２１を介して後段制御部２２に伝える。後段制御部２２は、前段制御部１３から伝送されたフレームバッファサイズの情報に基づいて、後段解像度変換部２３のもつＶＲＡＭ内にフレームバッファ領域を確保する。
【００３１】
Ｓ３０６で、前段制御部１３は、合成部１８で主放送コンテンツとＳ３０４で解像度変換された副放送コンテンツに対し、ＰｉｎＰ表示形態の主画面と副画面の画面配置になるように合成処理を適用して合成映像コンテンツを出力する。また出力された合成映像コンテンツは、後段解像度変換部２３のもつＶＲＡＭ内に確保したフレームバッファ領域に転送される。また、前段制御部１３は、合成映像コンテンツの解像度の情報を不揮発性メモリ１２に記憶し、同時に、前段通信部１４と後段通信部２１を介して後段制御部２２に伝送する。前段制御部１３はさらに、不揮発性メモリ１２より表示パネル３０の表示領域の解像度の情報を読み出し、前段通信部１４と後段通信部２１を介して後段制御部２２に伝送する。
【００３２】
Ｓ３０７で、後段制御部２２は、合成部１８から出力された合成映像コンテンツに対し、後段解像度変換部２３で解像度変換処理を適用する。このとき、後段制御部２２は、後段解像度変換部２３に前段制御部１３から伝送された合成映像コンテンツの解像度の情報と表示パネル３０の表示領域の解像度とを後段解像度変換部２３に供給して、解像度変換処理を行う。例えば、図２（ｃ）のように合成映像コンテンツの解像度が７２０×４８０画素であるときは、後段解像度変換部２３にて横成分の解像度を１９２０／７２０＝８／３倍、縦成分の解像度を１０８０／４８０＝９／４倍の解像度変換を行う。この解像度変換により、主放送コンテンツの表示領域の解像度は主解像度と一致し、副放送コンテンツの表示領域も横成分の解像度が１８０×８／３＝４８０画素、縦成分の解像度が１２０×９／４＝２７０画素となり、副解像度と一致する。
【００３３】
なお、本実施形態では、ＰｉｎＰ表示モードの主画面の表示領域の解像度が、表示パネル３０の表示領域の解像度に一致する場合について説明したが、主画面の表示領域の解像度が、表示パネル３０の表示領域の解像度より小さい場合は以下のようにすればよい。例えば、主画面の表示領域の横成分の解像度は表示パネル３０の表示領域の解像度に一致するが、縦成分の解像度が表示パネル３０の表示領域の解像度より小さい場合を考える。この場合、後段制御部２２は、後段解像度変換部２３において主画面の表示領域の上または下、もしくは両方に情報を持たない帯状の黒領域を追加し、得られる映像コンテンツの解像度を表示パネル３０の表示領域の解像度と一致させればよい。
【００３４】
Ｓ３０８で、後段制御部２２は、後段解像度変換部２３から出力された映像コンテンツに対して高画質化処理部２４で高画質化処理を適用し、高画質化映像コンテンツを出力する。後段制御部２２は、出力された高画質化映像コンテンツを表示パネル３０に出力する。
【００３５】
（表示制御処理：ＰａｎｄＰ表示モード）
さらに、本実施形態のテレビ受像機の、２画面表示形態のうちＰａｎｄＰ表示モードにおける表示制御処理について、図３のフローチャート及び図４を用いて説明する。また、ＰａｎｄＰ表示モードの説明において、ＰｉｎＰ表示モードの表示制御処理と同じ動作を行うステップの説明は省略し、ＰａｎｄＰ表示モードにおける特徴的なステップの説明にとどめる。
【００３６】
Ｓ３０３で、前段制御部１３は取得した主解像度と副解像度の情報から、主解像度に対する副解像度の比率を、縦成分と横成分の両方において算出する。本実施形態のＰａｎｄＰ表示モードでは、例えば図４（ｄ）にあるように、最終的な主解像度と副解像度はともに９６０×５４０画素であるため、縦成分と横成分の比率はともに１となる。なお、本実施形態のＰａｎｄＰ表示モードでは、主解像度と副解像度が等しい場合について説明するが、ＰａｎｄＰ表示は構成する映像コンテンツの表示領域が重ならずに並列して表示されるものであればよいので、主解像度と副解像度は必ずしも等しい必要はない。
【００３７】
Ｓ３０４で、前段制御部１３は、前段解像度変換部１７で副放送コンテンツに対し、解像度変換処理を適用する。このとき前段制御部１３が供給する、副放送コンテンツの解像度の情報と、前段解像度変換部１７での解像度変換処理を適用後の副放送コンテンツの解像度は、Ｓ３０３で求めた比率を、主放送コンテンツの解像度に積算して求める。例えば図４（ｄ）のように、ＰａｎｄＰ表示モードにおいて、主放送コンテンツと副放送コンテンツの最終的な出力解像度が等しい場合、前段解像度変換部１７で副放送コンテンツの解像度を主放送コンテンツの解像度になるよう解像度変換を行う。図４（ａ）のように、主放送コンテンツの解像度が１９２０×１０８０画素、副放送コンテンツの解像度が７２０×４８０画素である場合は、主放送コンテンツと副放送コンテンツのアスペクト比が異なるため、前段解像度変換部１７で例えば以下のように処理する。副放送コンテンツの横成分の解像度を優先して解像度変換する場合は、変換後の副放送コンテンツの解像度は１９２０×１２８０画素になるので、例えば上下の画素をクロップして１９２０×１０８０画素とすればよい。また、副放送コンテンツの縦成分の解像度を優先して解像度変換する場合は、変換後の副放送コンテンツの解像度は１６２０×１０８０画素になるので、例えば左方と右方に帯状の黒領域を追加して、１９２０×１０８０画素とすればよい。
【００３８】
Ｓ３０５で、前段制御部１３は、合成部１８で出力する合成映像コンテンツの解像度を決定する。また、前段制御部１３は、決定した合成映像コンテンツの解像度の情報に基づいて、後段解像度変換部２３のＶＲＡＭ内に合成映像コンテンツを一時的にバッファリングするために必要なフレームバッファサイズを決定する。本実施形態におけるＰａｎｄＰ表示モードでは、主画面と副画面の表示領域が等しく、横に隣接して表示されるものとするため、合成映像コンテンツの解像度は主放送コンテンツの２倍の解像度に一致する。即ち、本実施形態における合成映像コンテンツの解像度は、主放送コンテンツの横成分の解像度に、ＰａｎｄＰ表示モードで表示する映像コンテンツの系統数を乗算した解像度となる。例えば、図４（ｃ）のように主放送コンテンツが１９２０×１０８０画素である場合は、合成映像コンテンツの解像度は３８４０×１０８０画素になる。このため、後段解像度変換部２３のＶＲＡＭ内に合成映像コンテンツを一時的にバッファリングするために必要なフレームバッファサイズは、３８４０×１０８０画素分であればよい。前段制御部１３は、決定したフレームバッファサイズを前段通信部１４と後段通信部２１を介して後段制御部２２に伝える。後段制御部２２は、前段制御部１３から伝送されたフレームバッファサイズの情報に基づいて、後段解像度変換部２３のもつＶＲＡＭ内にフレームバッファ領域を確保する。
【００３９】
なお、本実施形態では２系統の放送コンテンツの２画面表示における処理について記述したが、３系統以上の映像コンテンツが入力される場合にも対応できる。この場合、前段解像度変換部１７を副となる映像コンテンツの系統数分設け、合成部１８において複数系統の映像コンテンツを１系統の合成映像コンテンツに合成すればよい。
【００４０】
また、本実施形態では放送受信部１０を放送受信ＬＳＩで、画像処理部２０を高画質化ＬＳＩで実施する例を記述した。しかし、放送受信部１０と画像処理部２０の機能ブロックをどのようなハードウェアやソフトウェアで実現するかは任意である。例えば、放送受信部１０と画像処理部２０とが１つの集積回路パッケージに含まれていても良いし、少なくとも一部の機能ブロックがソフトウェアにより実現されてもよい。
【００４１】
本実施形態の表示制御装置は、複数系統の映像コンテンツのうち、副となる映像コンテンツを独立して解像度変換可能な前段解像度変換部と、１系統の映像コンテンツを前段解像度変換部より高画質に解像度変換可能な後段解像度変換部を有する。また、前段解像度変換部と後段解像度変換部の間に、複数系統の映像コンテンツを１系統に合成可能な合成部を有するとともに、後段解像度変換部の出力を高画質化する高画質化処理部とを有する。そして、このような表示制御装置において、主となる映像コンテンツに対して前段解像度変換部で解像度変換を行わず、後段解像度変換部で解像度変換を行う。また、複数系統の映像コンテンツをマルチ画面表示する際は、最終的な出力解像度における主となる映像コンテンツと副となる映像コンテンツの比率に合わせて、前段解像度変換部で副となる映像コンテンツの解像度変換を行う。具体的には、合成を行わずに１系統の映像コンテンツを表示する表示形態では、前段解像度変換部で解像度変換を行わずに後段解像度変換部で解像度変換処理を行う。これにより、高品質な解像度変換結果に対して高画質化処理できるため、高画質化処理の効果を十分に活かした高画質な映像コンテンツの表示が行える。また、複数系統の映像コンテンツをマルチ画面表示する表示形態では、前段解像度変換部で主となる映像コンテンツは解像度変換を行わない。最終的なマルチ画面表示する際の、主となる映像コンテンツと副となる映像コンテンツの表示領域の比率に合わせて、前段解像度変換部で副となる映像コンテンツに対して、解像度変換処理を行う。さらに、主となる映像コンテンツと、前段解像度変換部で解像度変換した副となる映像コンテンツとを合成部で合成し、後段解像度変換部で解像度変換を行った後、高画質化処理を適用する。これにより、複数系統の映像コンテンツをマルチ画面表示する際においても、個々の映像コンテンツが高画質化処理の効果を享受することができる。
【図１】
2011040974.tif 000003
【図２】
2011040974.tif 000004
【図３】
2011040974.tif 000005
【図４】
2011040974.tif 000006